(57)【要約】【課題】クリーニングローラのクリーニングによって、万一、ディスク面に傷を付けても、記録ディスクに対する記録／再生に支障を生じないようにする。【解決手段】スピンドルモータ２が回転してクランプ４が回転駆動されると、同時に回転ローラ８が回転し、支持軸６を介してクリーニングローラ５が周方向に回転する。これによりクリーニングローラ５のクリーニング面５ａにより光ディスク１の表面からゴミや指紋などの汚れを除去する。このとき、前記クリーニング面５ａは、光ディスク１のラジアル方向に対して傾斜する螺旋形状に形成されているため、光ディスク１における情報トラック方向とは異なる方向に、ゴミや指紋を拭き取ることができる。このため、クリーニングローラ５の表面にゴミや異物などが付着していても、それにより光ディスク１におけるトラック方向と同一方向に傷が付き難くなる。【選択図】図１
2006313596.tif 000002
【特許請求の範囲】
【請求項１】
記録ディスクがディスク回転駆動体によって回転しているときに、該記録ディスクの表面に接触してクリーニングを行うクリーニングローラが、該クリーニングローラの軸方向を前記記録ディスクのラジアル方向に配し、かつクリーニング面を周方向に回転自在にして取り付けてなるディスククリーニング装置において、
前記クリーニングローラのクリーニング面を前記記録ディスクのラジアル方向に対して傾斜する螺旋形状とし、前記クリーニングローラの両端をハウジングに回転自在に設け、前記クリーニングローラの一端部に回転ローラを固定し、前記クリーニングローラの他端部における前記ハウジングを回動自在に支持し、前記他端部部分を中心として前記クリーニングローラの前記クリーニング面が前記記録ディスクの表面に対して接離するように前記ハウジングを回動させる駆動部材を配設し、前記クリーニング面が前記記録ディスクの表面に接触した状態で、前記回転ローラが前記ディスク駆動体の回転部材に係合して前記クリーニング面を周方向に回転させることを特徴とするディスククリーニング装置。
【請求項２】
前記ハウジングに、前記クリーニングローラに接触するローラクリーニング用のブラシを設けたことを特徴とする請求項１記載のディスククリーニング装置。
【請求項３】
前記ブラシの端部に装置外部に露出する摘み部を設け、該摘み部により前記ブラシを装置外部から抜き差し可能にしたことを特徴とする請求項２記載のディスククリーニング装置。
【請求項４】
前記記録ディスクに対して記録／再生を行うピックアップ体に係合し、該ピックアップ体の移動に伴って摺動して、前記ハウジングを回動させる前記駆動部材を作動させ、前記ピックアップ体が前記記録ディスクの記録範囲外における最外周部または最内周部に位置したときに、前記クリーニング面を前記記録ディスクの表面に接触させるように前記ハウジングを回動させる作動シャフトを備えたことを特徴とする請求項１記載のディスククリーニング装置。
【請求項５】
前記回転ローラと係合する前記ディスク駆動体の回転部材を、前記記録ディスクを支持するクランプ体とし、該クランプ体における前記回転ローラと係合する面に凹凸を形成したことを特徴とする請求項１記載のディスククリーニング装置。
【請求項６】
前記記録ディスクを出し入れするトレイ体に、前記ハウジングと係合して、該ハウジングを前記記録ディスクの表面方向に対して回動自在に支持する支持部を設けたことを特徴とする請求項１記載のディスククリーニング装置。
【請求項７】
記録ディスクを回転駆動するディスク回転駆動体と、前記記録ディスクに対して記録／再生を行うため、ディスクラジアル方向に移動可能なピックアップ体とを備えた光ドライブ装置において、請求項１〜６いずれか１項記載のディスククリーニング装置を搭載したことを特徴とする記録ディスクドライブ装置。
【発明の詳細な説明】
【技術分野】
【０００１】
本発明は、光ディスクなどの記録ディスクの表面に接触してクリーニングを行うクリーニングローラを具備したディスククリーニング装置、およびそのディスククリーニング装置を搭載した記録ディスクドライブ装置に関するものである。
【背景技術】
【０００２】
高密度・大容量の記憶媒体として、ピット状パターンを有する光ディスクを用いる光メモリ技術は、ディジタルオーディオディスク，ビデオディスク，文書ファイルディスク、さらにはデータファイルなど、その応用が拡大しつつある。
【０００３】
前記光メモリ技術では、情報は、微小に絞られた光ビームを用いて光ディスクにより、高い精度と信頼性をもって記録／再生される。この記録／再生動作は、ひとえに、その光学系に依存している。
【０００４】
前記光学系の主要部である光ヘッドの基本的な機能は、回折限界の微小スポットを形成する光集束系と、前記光学系のフォーカス制御とトラッキング制御、およびピット信号の検出系に大別される。これらの機能は、その目的と用途に応じて各種の光学系と光電変換検出方式の組み合わせによって実現されている。
【０００５】
一方、ＤＶＤと称する高密度・大容量の光ディスクが実用化され、動画のような大量の情報を扱える情報媒体として脚光を浴びている。このＤＶＤ光ディスクは、従来の光ディスクであるコンパクトディスク（以下、ＣＤと略記する）と比較して、記録密度を大きくするために、情報記録面でのピットサイズを小さくしている。
【０００６】
したがって、ＤＶＤ光ディスクを記録／再生する光ヘッドにおいては、スポット径を決定する光源の波長、あるいは対物レンズの開口数（Ｎｕｍｅｒｉｃａｌ  Ａｐｅｒｔｕｒｅ：以下、ＮＡと略記する）がＣＤの場合と異なっている。ちなみに、ＣＤでは、光源の波長は略７８０ｎｍ，ＮＡは略０．４５であるのに対し、ＤＶＤでは、光源の波長は略６５０ｎｍ，ＮＡは略０．６である。さらに、近年、青色レーザ（波長約４０５ｎｍ）を用いた大容量（約２０〜２５ＧＢ）のＢｌｕ−ｒａｙ−ＤｉｓｃやＨＤ−ＤＶＤなどの規格が提案されている。
【０００７】
したがって、波長４０５ｎｍの青色レーザ光源を使用する光ディスクドライブにおいては、スポット径がＣＤ，ＤＶＤより小さいため、光ディスク基板表面に指紋やゴミが付着すると、制御信号や情報信号に影響を与えやすく、信頼性を著しく低下させていた。
【０００８】
前記問題を解決し、光ディスク基板表面に付着している指紋やゴミを除去するため、光ディスクのクリーニング手段が種々提案されている。
【０００９】
例えば、特許文献１には、光ディスクを光ディスク駆動装置に装填したとき徐電効果のある静電気除去手段によって、光ディスク表面への塵埃の付着を防止するようにした光ディスク駆動装置が記載されている。
【００１０】
特許文献２には、光ディスクをクリーニングするためのクリーニング装置を、光ディスクのハブ径より小さい径のクランピング部材と、少なくとも一方の端部がハブと接触しかつ光ディスクの半径方向を軸として回転しながらクリーニングするクリーニング部材とから構成し、スピンドルモータの動力を利用してクリーニング部材を回転するようにした光ディスククリーニング装置が記載されている。
【００１１】
特許文献３には、光ディスクトレイ部に回転可能にクリーニングローラを取り付けた構成の光ディスク記録再生装置が記載されている。
【００１２】
特許文献４には、光ディスクの記録面に当接し、半径方向に回転駆動されるベルト上のクリーニングテープと、該クリーニングテープが載置されるテーブルとを備え、前記クリーニングテープを光ディスク方向に付勢する弾性部材を介して、前記テーブルに設けるように構成し、光ディスクに付着した指紋などの粘着性の汚れを拭き取るようにした光ディスクの清掃装置が記載されている。
【特許文献１】特開平６−２５１４９１号公報
【特許文献２】特開平６−２１５５２８号公報
【特許文献３】実用新案登録第２５７２４８６号公報
【特許文献４】特開平２−２２６５７１号公報
【発明の開示】
【発明が解決しようとする課題】
【００１３】
前記のような従来技術におけるクリーニング手段は、光ディスクの回転方向にゴミや指紋を除去するものが多く、この除去方向であると、クリーニング手段に異物が付着していた場合、クリーニング動作により光ディスクに対して回転方向に傷をつけてしまう可能性があった。
【００１４】
そして、光ディスクの回転方向に傷が付くと、記録面の広範囲にわたって、そのトラック方向に沿って傷が付く可能性が高く、記録／再生時、トラック制御外れや情報ピットの読み出し、記録に支障を来たすという問題がある。
【００１５】
本発明の目的は、前記従来技術の問題を解決し、光ディスクなどの記録ディスクの表面に接触してクリーニングを行うクリーニングローラを用い、そのクリーニングによって、万一、ディスク面に傷を付けても、それを記録ディスクに対する記録／再生に支障を生じないものにすることができるディスククリーニング装置および記録ディスクドライブ装置を提供することにある。
【課題を解決するための手段】
【００１６】
前記目的を達成するため、請求項１に記載の発明は、記録ディスクがディスク回転駆動体によって回転しているときに、該記録ディスクの表面に接触してクリーニングを行うクリーニングローラが、該クリーニングローラの軸方向を前記記録ディスクのラジアル方向に配し、かつクリーニング面を周方向に回転自在にして取り付けてなるディスククリーニング装置において、前記クリーニングローラのクリーニング面を前記記録ディスクのラジアル方向に対して傾斜する螺旋形状とし、前記クリーニングローラの両端をハウジングに回転自在に設け、前記クリーニングローラの一端部に回転ローラを固定し、前記クリーニングローラの他端部における前記ハウジングを回動自在に支持し、前記他端部部分を中心として前記クリーニングローラの前記クリーニング面が前記記録ディスクの表面に対して接離するように前記ハウジングを回動させる駆動部材を配設し、前記クリーニング面が前記記録ディスクの表面に接触した状態で、前記回転ローラが前記ディスク駆動体の回転部材に係合して前記クリーニング面を周方向に回転させることを特徴とし、この構成によって、ディスク面に接するクリーニングローラのクリーニング面を螺旋状にしたため、ディスク面のトラック方向とは異なる方向に対してゴミや指紋を拭き取ることができる。よって、万一、クリーニングローラにゴミや異物が付いていて、記録ディスクに傷を付けてしまったとしても、トラック方向と異なる方向に傷が付くため、記録／再生時においてトラック外れやデータの訂正が可能となる。また、クリーニングローラはディスク駆動体にて駆動されるため、専用のクリーニングローラ駆動装置が不要となり、コストダウンと小型化が可能となる。さらに、記録／再生時にはクリーニングローラを記録ディスクから退避させ、記録ディスクの回転に負荷が加わらないようにすることができるため、安定したディスク回転駆動が可能になる。
【００１７】
請求項２に記載の発明は、請求項１記載のディスククリーニング装置において、ハウジングに、クリーニングローラに接触するローラクリーニング用のブラシを設けたことを特徴とし、この構成によって、ブラシによりクリーニングローラに付いたゴミや異物を除去することができ、クリーニング効果を維持することができると共に、クリーニングローラの寿命を延ばすことができる。
【００１８】
請求項３に記載の発明は、請求項２記載のディスククリーニング装置において、ブラシの端部に装置外部に露出する摘み部を設け、該摘み部によりブラシを装置外部から抜き差し可能にしたことを特徴とし、この構成によって、ユーザにより容易にブラシの取り外し清掃が可能となる。
【００１９】
請求項４に記載の発明は、請求項１記載のディスククリーニング装置において、記録ディスクに対して記録／再生を行うピックアップ体に係合し、該ピックアップ体の移動に伴って摺動して、ハウジングを回動させる駆動部材を作動させ、ピックアップ体が記録ディスクの記録範囲外における最外周部または最内周部に位置したときに、クリーニング面を記録ディスクの表面に接触させるようにハウジングを回動させる作動シャフトを備えたことを特徴とし、この構成によって、ハウジングを回動させる駆動部材を作動させるための構造が簡素化され、コストダウンおよび小型化が可能となる。
【００２０】
請求項５に記載の発明は、請求項１記載のディスククリーニング装置において、回転ローラと係合するディスク駆動体の回転部材を、記録ディスクを支持するクランプ体とし、該クランプ体における回転ローラと係合する面に凹凸を形成したことを特徴とし、この構成によって、回転ローラとディスク駆動体の回転部材との接触面のスリップを防止することができ、クリーニングローラによるディスク面のクリーニングを確実に行うことができる。
【００２１】
請求項６に記載の発明は、請求項１記載のディスククリーニング装置において、記録ディスクを出し入れするトレイ体に、ハウジングと着脱可能に係合して、該ハウジングを記録ディスクの表面方向に対して回動自在に支持する支持部を設けたことを特徴とし、この構成によって、クリーニングローラを設けたハウジングをトレイ体から取り外すことができ、交換などが容易になる。
【００２２】
請求項７に記載の発明は、記録ディスクを回転駆動するディスク回転駆動体と、前記記録ディスクに対して記録／再生を行うため、ディスクラジアル方向に移動可能なピックアップ体とを備えた記録ディスクドライブ装置において、請求項１〜６いずれか１項記載のディスククリーニング装置を搭載したことを特徴とし、この構成によって、ディスク面のゴミ異物、指紋などを除去してクリーニングすることにより、記録／再生の信頼性が向上する。
【発明の効果】
【００２３】
本発明によれば、ディスク面に接するクリーニングローラのクリーニング面を螺旋状にしたことにより、ディスク面のトラック方向とは異なる方向に対してゴミや指紋を拭き取ることができ、このため、万一、クリーニングローラにゴミや異物が付いていて、記録ディスクに傷を付けてしまったとしても、トラック方向と異なる方向に傷が付くため、記録／再生時においてトラック外れやデータの訂正が可能となる。また、クリーニングローラはディスク駆動体にて駆動されるため、専用のクリーニングローラ駆動装置が不要となり、コストダウンと装置全体して小型化を図ることができる。さらに、記録／再生時にはクリーニングローラを記録ディスクから退避させ、記録ディスクの回転に負荷が加わらないようにすることにより、安定したディスク回転駆動を維持することができる。
【００２４】
また、記録ディスクドライブ装置に本発明に係るディスククリーニング装置を搭載することにより、前記のようなクリーニングが行われ、長期にわたってクリーニングすることができ、記録／再生の信頼性を向上させることができる。
【発明を実施するための最良の形態】
【００２５】
以下、本発明の実施形態を図面に基づいて説明する。
【００２６】
図１は本発明の実施形態１を説明するためのディスククリーニング装置（クリーニング時）の構成図、図２は実施形態１のディスククリーニング装置における非クリーニング時の状態を示す構成図である。
【００２７】
図１，図２において、１は記録ディスクである光ディスク、２は光ディスク１を回転駆動するスピンドルモータ、３はスピンドルモータ２のスピンドル、４は、スピンドル３の上部に固定され、光ディスク１の中央部分を保持する回転部材であるクランプである。
【００２８】
５はクリーニング面５ａを光ディスク１のラジアル方向に対して傾斜する螺旋形状にしてあるクリーニングローラであって、クリーニングローラ５としては、光ディスク１の基板表面に傷が付かない程度の硬さ，材質のものを任意に使用することができ、また光ディスク１に対する接触圧なども任意に選定する。例えばレンズクリーニング用の布，不織布、あるいはネル，スポンジなどが望ましい。また、６はクリーニングローラ５を支持する支持軸である。
【００２９】
７は支持軸６にてクリーニングローラ５を周方向に回転自在に保持する凹状のハウジング、８はハウジング７の一側から突出した支持軸６に固定された回転ローラ、９は、ハウジング７の他側に設けられ、ハウジング７を光ディスク１に対して接離する方向に回動可能に支持する回動支持軸である。
【００３０】
１０はハウジング７の下面に突設された突出部、１１は、Ｌ状に形成された駆動軸であって、垂直部１１ａの上部が突出部１０に接し、水平部１１ｂが電磁ソレノイド装置１２にて横動可能に駆動される。１３は電磁ソレノイド装置１２がオフになっているときに前記水平部１１ｂを引っ張るスプリングであって、突出部１０と駆動軸１１と電磁ソレノイド装置１２とスプリング１３とにより、ハウジング７を回動させる駆動部材を構成している。
【００３１】
電磁ソレノイド装置１２は、オンになって電圧が印加されると、図１に示すように、駆動軸１１の水平部１１ｂをスプリング１３の引張力に抗して引き込み、駆動軸１１の垂直部１１ａを突出部１０における最も突出した部位に位置させる。これにより、ハウジング７が上方へ押圧され、回動支持軸９を中心に反時計方向に回動し、クリーニングローラ５のクリーニング面５ａが光ディスク１の表面に接触し、回転ローラ８がスピンドルモータ２のクランプ４に接触する（図１の状態）。
【００３２】
電磁ソレノイド装置１２がオフになると、スプリング７の引張力により駆動軸１１は、図２に示すように、左方向に移動して、垂直部１１ａが突出部１０における低い部位に位置する。これにより、ハウジング７は自重により回動支持軸９を中心に時計方向に回動し、クリーニングローラ５のクリーニング面５ａが光ディスク１の表面に退避し、また回転ローラ８がスピンドルモータ２のクランプ４から離れる。
【００３３】
このように、電磁ソレノイド装置１２のオン／オフにより、光ディスク１の表面にクリーニングローラ５が接触したり、退避することになる。
【００３４】
図１に示す状態で、スピンドルモータ２が回転して、スピンドル３を回転すると，クランプ４を介して光ディスク１が回転駆動され、同時に回転ローラ８も回転駆動され、支持軸６を介してクリーニングローラ５を周方向に回転させ、クリーニング面５ａにより光ディスク１の表面からゴミや指紋などの汚れを除去する。このとき、クリーニングローラ５のクリーニング面５ａは、光ディスク１のラジアル方向に対して傾斜する螺旋形状に形成されているため、図９に示す矢印Ａのように、光ディスク１における情報トラック方向とは異なる方向に、ゴミや指紋を拭き取ることができる。
【００３５】
このため、本実施形態では、クリーニングローラ５の表面にゴミや異物などが付着していても、光ディスク１におけるトラック方向と同一方向に傷が付きにくいため、記録／再生時にトラック外れや情報の記録／再生への影響を低減することが可能となり、当該光ディスク１に対する記録／再生の信頼性が向上する。
【００３６】
また、クリーニングローラ５の回転数は、ローラ直径と、スピンドルモータ２の回転数と、クリーニングローラ５とスピンドルモータ２の接触位置（半径方向）によって決定される。クリーニングローラ５は、スピンドルモータ２の回転数より減速されている。したがって、光ディスク１の回転数とクリーニングローラ５の回転数は異なるため、光ディスク１の表面とクリーニングローラ５の表面とに滑りが発生し、光ディスク１に付いた粘着性のゴミや指紋を効果的に拭き取ることが可能となる。
【００３７】
その他の効果として、クリーニングローラ５がハウジング７に回動可能に取り付けられているため、光ディスク１の表面のゴミや異物などが凹状をなすハウジング７内に溜まる、よって、ゴミや異物は本ディスククリーニング装置を搭載した光ディスクドライブ内に飛散せず、光ピックアップなどの光学系を汚したりしない。さらに、飛散したゴミや異物が、再度、光ディスク基板表面に付着することを防止することができる。
【００３８】
また、クリーニングローラ５は、支持軸６に取り付けられた回転ローラ８がスピンドルモータ２の一部に接触して回転することになるため、専用のクリーニングローラ回転駆動装置が不要となり、他のクリーニング装置に比べて、コストダウンと装置の小型化を図ることができる。
【００３９】
また、電磁ソレノイド装置１２により、ハウジング７を回動させ、光ディスク１の表面にクリーニングローラ５を接触させたり、退避させたりすることができるため、記録／再生時にはクリーニングローラ５を回避することが可能であり、光ディスク１の回転に負荷が加わらず、安定して光ディスク１を回転することが可能となる。しかも、スピンドルモータ２に対しても負荷が加わらないため、記録／再生時の光ディスク１の回転時の消費電力を増加させることはない。
【００４０】
なお、電磁ソレノイド装置１２を用いた場合、例えば、光ディスク１を所定位置にセットしたとき、あるいは記録／再生中にゴミや指紋の検出を行い、もしゴミや指紋が検出された場合、電磁ソレノイド装置１２を作動させて、ゴミや指紋がある場合のみ、ゴミ，指紋の除去を行うようにすることも可能である。したがって、長期にわたって常に安定した記録／再生が可能となり、信頼性が向上する。
【００４１】
図３は本発明の実施形態２を説明するためのディスククリーニング装置の構成図である。なお、以下の説明において、既に説明した部材に対応する部材には同一符号を付して詳しい説明は省略する。
【００４２】
実施形態２では、ハウジング７の内底部にクリーニングローラ５と接触するようにブラシ２０を設け、クリーニングローラ５の表面に付着したゴミや異物をブラシ２０によって除去するようにしている。
【００４３】
光ディスク１の表面に付着したゴミや異物をクリーニングローラ５が除去するが、クリーニングローラ５に光ディスク１の表面から取り除いたゴミや異物が付着すると、クリーニングローラ５の回転により、再度、光ディスク１の表面にゴミや異物を擦り付けたり、光ディスク１の表面に傷を付けたりする原因になる場合がある。
【００４４】
したがって、ブラシ２０によりクリーニングローラ５に付いたゴミや異物を除去することにより、光ディスク１の表面へのゴミや異物による傷の発生を防止することができる。また、クリーニングローラ５の寿命を延ばす効果もある。
【００４５】
図４は本発明の実施形態３を説明するためのディスククリーニング装置の構成図である。
【００４６】
実施形態３では、当該ディスククリーニング装置を搭載した光ディスク装置（記録ディスクドライブ装置）における筺体の前面部２１と、この前面部２１に対応するハウジング７に、それぞれ開口部２１ａ，７ａを設け、ブラシ２０を、板ばねなどの可撓性部材２２を介して、装置外部に配される摘み部２３に連結している。
【００４７】
このような構成にすることにより、ブラシ２０を光ディスク装置外部から抜き差し自由になり、また可撓性部材２２によりブラシ２０は保持されているため、ハウジング７の既述した回動動作を阻害することなく、クリーニングローラ５のクリーニングを行うことが可能になる。
【００４８】
また、ブラシ２０を光ディスク装置外部に取り出した状態で、ブラシ２０のクリーニングを行うことが可能となる。また、外部にてブラシ２０に洗浄溶剤などを滴下して、クリーニングローラ５の清掃なども行うこともでき、さらに、ハウジング７内に堆積したゴミや異物なども取り除くことも可能である。
【００４９】
図５は本発明の実施形態４を説明するためのディスククリーニング装置の構成図である。
【００５０】
実施形態４では、光ディスク１の径方向に横動可能に設けられて、光ディスク１に対して記録／再生を行うための光ピックアップ２５のシーク動作を利用して、ハウジング７を回動駆動している。
【００５１】
図５において、２６は光ピックアップ２５をシーク方向に駆動するリニアモータ２６、２７はガイドシャフト、２８は、駆動軸１１の水平部１１ｂを延出し、光ピックアップ２５，リニアモータ２６の一部に係合する摺動シャフトである。
【００５２】
摺動シャフト２８の端部２８ａは、光ディスク１におけるディスク記録範囲外の最外周または最内週位置で、光ピックアップ２５の移動力を受けて押されることにより、駆動軸１１をスプリング１３の引張力に抗して引き、駆動軸１１の垂直部１１ａを突出部１０における最も突出した部位に位置させるようにしている。これにより、ハウジング７が上方へ押圧され、回動支持軸９を中心に反時計方向に回動し、クリーニングローラ５のクリーニング面５ａが光ディスク１の表面に接触し、回転ローラ８がスピンドルモータ２のクランプ４に接触することになる。
【００５３】
このような構成にすることにより、電磁ソレノイド装置が不要となり、前記実施形態に比べてコストダウンおよび光ディスク装置の小型化が可能となる。
【００５４】
なお、前記実施形態において、図６のクランプの底面を示す斜視図のように、クランプ４の下面４ａを凸凹形状２９にし、回転ローラ８と接触させることも考えられる。
【００５５】
このような構成とすることにより、回転ローラ８とクランプ４の下面４ａとの接触面における接触抵抗を増し、スリップを防止することができ、クリーニングローラ５による光ディスク１の表面のクリーニングを確実に行うことができる。
【００５６】
図７は本発明の実施形態５を説明するためのディスククリーニング装置の構成図、図８は実施形態５の要部の分解斜視図である。
【００５７】
実施形態５では、光ディスク１を出し入れするために光ディスク装置などに設けられるトレイ体３０の一部に前記回動支持軸９を設け、また、前記実施形態におけるハウジング７の回動支持軸９側にＵ状溝部３１を設け、回動支持軸９をハウジング７のＵ状溝部３１に取外し可能かつ回動可能に係止した構成にしている。
【００５８】
このような構成とすることにより、クリーニングローラ５を設けたハウジング７をトレイ体３０から取り外すことができるようになり、クリーニング部分をユニットとして交換することが容易になる。
【００５９】
なお、前記各実施形態のディスククリーニング装置を、光ディスク１などの記録ディスクを回転駆動するスピンドルモータ２などのディスク回転駆動体、および記録ディスクに対して記録／再生を行うため、リニアモータ２６などによりディスクラジアル方向にシーク移動されるピックアップ体を備えた記録ディスクドライブ装置に搭載し、ディスク面のゴミ異物、指紋などを除去するクリーニングを行うことにより、記録／再生の信頼性が向上することになる。
【産業上の利用可能性】
【００６０】
本発明は、記録ディスクの表面に接触してクリーニングを行うクリーニングローラを具備したディスククリーニング装置に適用され、光ディスクを含む各種記録ディスクに対して記録／再生を行う記録ディスクドライブ装置に実施でき、特にクリーニングローラによるクリーニングにより、ディスク面に傷を付けてしまうことの不具合回避のために有効である。
【図面の簡単な説明】
【００６１】
【図１】本発明の実施形態１を説明するためのディスククリーニング装置（クリーニング時）の構成図
【図２】実施形態１のディスククリーニング装置における非クリーニング時の状態を示す構成図
【図３】本発明の実施形態２を説明するためのディスククリーニング装置の構成図
【図４】本発明の実施形態３を説明するためのディスククリーニング装置の構成図
【図５】本発明の実施形態４を説明するためのディスククリーニング装置の構成図
【図６】本実施形態に係るクランプの底面を示す斜視図
【図７】本発明の実施形態５を説明するためのディスククリーニング装置の構成図
【図８】実施形態５の要部の分解斜視図
【図９】本実施形態の光ディスクにおける情報トラック方向とは異なる方向に拭き取ることを示す図
【符号の説明】
【００６２】
１  光ディスク
２  スピンドルモータ
３  スピンドル
４  クランプ
５  クリーニングローラ
５ａ  クリーニング面
６  支持軸
７  ハウジング
８  回転ローラ
９  回動支持軸
１０  突出部
１１  駆動軸
１２  電磁ソレノイド装置
１３  スプリング
２０  ブラシ
２１  筺体の前面部
２２  可撓性部材
２３  摘み部
２５  光ピックアップ
２８  摺動シャフト
２９  凸凹形状
３０  トレイ体
３１  Ｕ状溝部
【図１】
2006313596.tif 000003
【図２】
2006313596.tif 000004
【図３】
2006313596.tif 000005
【図４】
2006313596.tif 000006
【図５】
2006313596.tif 000007
【図６】
2006313596.tif 000008
【図７】
2006313596.tif 000009
【図８】
2006313596.tif 000010
【図９】
2006313596.tif 000011